(57)【要約】【課題】宇宙のフイラメント構造はどのようにできるか。【解決手段】宇宙の中心のブラックホールが作る円周軌道には泡構造が存在する。この泡構造の直径×泡構造の数、が円周の長さ以上になると、泡構造と泡構造の接点は押し合い、フィラメント構造になる。ジェットが届く距離を泡構造の軌道半径とする。そして、宇宙中心の2.631×1013太陽質量が作る軌道において、泡構造の中心のブラックホールが作った泡構造が並んでいる。それで、泡構造の中心のブラックホールが作った軌道半径×2×円周の泡構造の数＞宇宙中心のブラックホールが作る軌道半径×2×3.14、の場合、フィラメント構造になる。又、初期の宇宙では引力が強いので、隣同士の泡構造が引き合い、フイラメント構造を作った。【選択図】図１
2015208168.tif 000002
【特許請求の範囲】
【請求項１】
宇宙の中心のブラックホールから噴出するジェットが届く距離と、大クエーサーから噴出するジェットが届く距離と、クエーサーから噴出するジェットが届く距離について。
宇宙の中心のブラックホールから噴出するジェットが届く距離と、大クエーサーから噴出するジェットが届く距離と、クエーサーから噴出するジェットが届く距離は、現代どの軌道半径に存在するかは、いつの時代にジェットが噴出したかにより異なる。
私は、2014年3月15日に提出した、特願2014−052829の「ブラックホールとブラックホールのジェットが作る軌道と速度」の「請求項12」で、宇宙の中心の2.631×1013太陽質量のブラックホールからジェットが噴出する時代を10-17m時代とする。そして、大クエーサーからジェットが噴出する時代を10-17m時代とする。泡構造の中心のブラックホールからジェットが噴出する時代を10-16m時代とする。と記した。
しかし、宇宙の中心の2.631×1013太陽質量のブラックホールからジェットが噴出する時代を10-17m時代とし、同じ時代に、大クエーサーからジェットが噴出するとするならば、大クエーサーのブラックホールができるとすぐジェットが噴出したことになる。
それで、大クエーサーからジェットが噴出する時代を5×10-17m時代とする。
【請求項２】
大クエーサーからジェットが噴出する時代を5×10-17m時代とする。大クエーサーのブラックホールの質量が、6.194×1010太陽質量である場合、ジェットが届いた軌道半径はいくらか。この軌道の速度はいくらか。ジェットが届いた軌道半径に何ができたか。
5×10-17m時代のエネルギーは10-14m時代のエネルギーの5×102倍であるから、5×102倍遠く飛ぶ。
6.194×1010＝1010.7920
ジェットが届く距離＝6.477×1011×10n/3×5×102＝6.477×1011×1010.7920÷3×5×102＝6.477×1011×103.5973×5×102＝6.477×1011×103×3.956×5×102＝1.281×1018(Km)
これは、1.281×1018Km÷(9.46×1012Km)＝1.354×105光年です。
この軌道エネルギー＝5.438×1018×102n/3JKm÷半径＝5.438×1018×102×10.7920÷3JKm÷半径＝5.438×1018×107.1947JKm÷半径＝5.438×1018×107×1.575JKm÷半径＝8.565×1025JKm÷半径。
それで、速度2＝8.565×1025JKm÷半径＝8.565×1025JKm÷(1.281×1018Km)＝6.686×107J
速度＝(6.686×107)1/2=8.177×103(Km)
大クエーサーのブラックホールの質量が、6.194×1010太陽質量である場合、ジェットが届いた軌道半径は、1.281×1018Km で1.354×105光年です。
この軌道の速度は8.177×103Kmです。
・大クエーサーのジェットが届いた軌道半径に泡構造の中心になるブラックホールができた。
・大クエーサーのジェットが届いた軌道半径に泡構造ができた。
・大クエーサーのブラックホールは泡構造の中心点になった。
・泡構造の銀河達は大クエーサーのブラックホールを中心に回転する。
【請求項３】
大クエーサーからジェットが噴出する時代を5×10-17mとする。大クエーサーのブラックホールの質量が、8.835×1010太陽質量である場合、ジェットが届いた軌道半径はいくらか。この軌道の速度はいくらか。ジェットが届いた軌道半径に何ができたか。
5×10-17m時代のエネルギーは10-14m時代のエネルギーの5×102倍であるから、5×102倍遠く飛ぶ。
8.835×1010＝1010.9462
ジェットが届く距離＝6.477×1011×10n/3×5×102＝6.477×1011×1010.9462÷3×5×102＝6.477×1011×103.649×5×102＝6.477×1011×103×4.456×5×102＝1.443×1018(Km)
これは、1.443×1018Km÷(9.46×1012Km)＝1.525×105光年です。
この軌道エネルギー＝5.438×1018×102n/3JKm÷半径＝5.438×1018×102×10.9462÷3JKm÷半径＝5.438×1018×107.2975JKm÷半径＝5.438×1018×107×1.983JKm÷半径＝1.078×1026JKm÷半径。
それで、速度2＝1.078×1026JKm÷半径＝1.078×1026JKm÷(1.443×1018Km)＝7.471×107J
速度＝(7.471×107)1/2＝8.643×103(Km)
大クエーサーのブラックホールの質量が、8.835×1010太陽質量である場合、ジェットが届いた軌道半径は、1.443×1018Kmで、1.525×105光年です。
この軌道の速度は8.643×103Kmです。
・大クエーサーのジェットが届いた軌道半径に銀河の中心になるブラックホールができた。
・大クエーサーのジェットが届いた軌道半径に泡構造ができた。
・大クエーサーのブラックホールは泡構造の中心点になった。
・泡構造の銀河達は大クエーサーのブラックホールを中心に回転する。
これは、2014年3月15日に提出した、特願2014-05282、「ブラックホールとブラックホールのジェットが作る軌道と速度」の「請求項12」「請求項13」「請求項16」「請求項17」の再考察です。
表１１
2015208168.tif 000018
【請求項４】
ブラックホールから噴出したジェットが届いた軌道半径は、10-17m時代、5×10-17m時代、10-16m時代、10-15m時代、10-14m時代どのように推移したか。
表１２
2015208168.tif 000019
【請求項５】
10-14m時代のジェットが届いた軌道半径100×108光年と142×108光年ではどれくらいになっているか。
100×108光年では、ジェットが届いた軌道半径＝2.036×109光年のジェットが届いた軌道半径×100×108光年÷2.036×109光年＝2.036×109光年のジェットが届いた軌道半径×4.912。
142×108光年では、ジェットが届いた軌道半径＝2.036×109光年のジェットが届いた軌道半径×142×108光年÷2.036×109光年＝2.036×109光年のジェットが届いた軌道半径×6.974。
6.194×1010太陽質量の場合。
100×108光年では、ジェットが届いた軌道半径＝6.770×107光年×4.912＝3.325×108光年。
142×108光年では、ジェットが届いた軌道半径＝6.770×107光年×6.974＝4.721×108光年。
8.835×1010太陽質量の場合。
100×108光年では、ジェットが届いた軌道半径＝7.625×107光年×4.912＝3.745×108光年。
142×108光年では、ジェットが届いた軌道半径＝7.625×107光年×6.974＝5.318×108光年。
106太陽質量の場合。
100×108光年では、ジェットが届いた軌道半径＝6.847×104光年×4.912＝3.363×105光年。
142×108光年では、ジェットが届いた軌道半径＝6.847×104光年×6.974＝4.775×105光年。
105太陽質量の場合。
100×108光年では、ジェットが届いた軌道半径＝3.179×104光年×4.912＝1.562×105光年。
142×108光年では、ジェットが届いた軌道半径＝3.179×104光年×6.974＝2.217×105光年。
このデーターを記入する。
表１３
2015208168.tif 000020
【請求項６】
軌道半径2.036×109光年の軌道にたくさんの大クエーサー群が存在する。その歴史をたどる。
2014年4月1日に提出した、特願2014−075852、「星の中央の中性子の塊と引力と宇宙の初期の中性子の塊と引力でできる元素」の「請求項１」に於いて、次のように記した。
宇宙の中央に、2.631×1013太陽質量のブラックホールができた時、ジェット噴射はどこまで届いたか。この軌道半径は何光年か。この軌道半径は現在どれ位の軌道半径に成っているか。
ジェットが届く距離＝6.477×1011×10n/3Km＝6.477×1011×(2.631×1013)1/3Km＝6.477×1011×26.311/3×104 Km＝6.477×1011×2.974×104 Km＝1.926×1016Km
これは、1.926×1016Km÷(9.46×1012Km)＝2.036×103光年、です。
中央の2.631×1013太陽質量のブラックホールは10-17m時代にできたとすると、そのエネルギーは10-14m時代の103倍なので、ジェットは、2.036×103+3光年=2.036×106光年まで届き、この軌道半径にたくさんの大クエーサー群を作った。
この軌道半径は10-17m時代から10-14m時代に成り、1000倍に拡大したので、この軌道半径は現代、2.036×106+3光年＝2.036×109光年です。
それで、現代、軌道半径2.036×109光年の軌道にたくさんの大クエーサー群は存在する。
今回は、大クエーサーからジェットが噴出したのは、5×10-17mの時代であると考える。
それで、宇宙の中央のブラックホールのジェットが届いた軌道半径の推移は次のようになる。
表１４
2015208168.tif 000021
2015208168.tif 000022
2015208168.tif 000023
【請求項７】
各時代に於いて、大クエーサーができた軌道の歴史はどのようであったか。まず初めに8.835×1010太陽質量のブラックホールがたどった歴史を考える。
8.835×1010太陽質量のブラックホールは、U1.27の大クエーサー群の中のブラックホールです。半円に73個存在する。このことについては、2014年2月27日に提出した、特願2014−037449に記した。
・10-17m時代はどのようであったか。
宇宙の中心のブラックホールからジェットが噴出し、それは半径2.036×106光年の軌道にブラックホールを作った。
半径2.036×106光年の軌道に、8.835×1010太陽質量のブラックホールを作った。半円に73個のブラックホールを作った。  
宇宙の中心のブラックホールが作った軌道半径2.036×106光年の軌道の半円の長さは、3.14×2.036×106光年＝6.393×106光年です。
・5×10-17m時代はどのようであったか。
半径は1.018×107光年に拡大した。この1.018×107光年の軌道の半円に、73個の8.835×1010太陽質量のブラックホールがあった。
このブラックホールからジェットが噴出した。そのジェットは半径1.525×105光年の軌道に届いた。これが泡構造です。この軌道半径に106太陽質量のブラックホールができた
宇宙の中心のブラックホールが作った軌道半径1.018×107光年の軌道には、2×73個の8.835×1010太陽質量のブラックホールがあり、そのブラックホールからジェットが吹き出し、軌道半径1.525×105光年の軌道に届いた。この軌道半径に106太陽質量のブラックホールができた。
宇宙の中心のブラックホールが作った軌道半径1.018×107光年の軌道の半円の長さは、π×1.018×107光年＝3.14×1.018×107光年＝3.197×107光年、です。
その半円の中に、8.835×1010太陽質量のブラックホールが作った泡構造の長さは、2×1.525×105光年×73個＝2.227×107光年です。
・10-16m時代はどのようであったか。
半径は2.036×107光年に拡大しました。その軌道の中には、半円に73個の8.835×1010太陽質量のブラックホールがあり、1個のブラックホールは1個の泡構造の中心に居ます。
泡構造の軌道半径は7.625×105光年に成りました。この軌道の中に106太陽質量のブラックホールがあり、そのブラックホールからジェットが吹き出し、軌道半径6.847×102光年の軌道に届いた。この軌道半径にブラックホールができた。
宇宙の中心のブラックホールが作った軌道半径2.036×107光年の軌道の半円の長さは、π×2.036×107光年＝3.14×2.036×107光年＝6.393×107光年、になりました。
その半円の中に、8.835×1010太陽質量のブラックホールが作った泡構造の長さは、2×7.625×105光年×73個＝1.113×108光年、になりました。
宇宙の中心のブラックホールが作った軌道半径2.036×107光年の軌道の半円の長さは、6.393×107光年で、その半円の中に、8.835×1010太陽質量のブラックホールが作った泡構造の長さは1.113×108光年になり、1.113×108光年÷(6.393×107光年)＝1.741倍になったので、フイラメント構造になった。
・10-15m時代はどのようであったか。
半径は2.036×108光年に拡大しました。その軌道の中には、半円に73個の8.835×1010太陽質量のブラックホールがあり、1個のブラックホールは1個の泡構造の中心に居ます。
泡構造の軌道半径は7.625×106光年に成りました。この軌道の中に106太陽質量のブラックホールがありそのブラックホールが作った軌道半径は6.847×103光年になりました。
この軌道半径にはたくさんのブラックホールができています。
宇宙の中心のブラックホールが作った軌道半径2.036×108光年の軌道の半円の長さは、π×2.036×108光年＝3.14×2.036×108光年＝6.393×108光年、になりました。
その半円の中に、8.835×1010太陽質量のブラックホールが作った泡構造の長さは、2×7.625×106光年×73個＝1.113×109光年、になりました。
宇宙の中心のブラックホールが作った軌道半径2.036×108光年の軌道の半円の長さは、6.393×108光年で、その半円の中に、8.835×1010太陽質量のブラックホールが作った泡構造の長さは1.113×109光年になり、1.113×109光年÷(6.393×108光年)＝1.741倍になったので、フイラメント構造のままです。
・10-14m時代はどのようであったか。
半径は2.036×109光年に拡大しました。その軌道の中には、半円に73個の8.835×1010太陽質量のブラックホールがあり、1個のブラックホールは1個の泡構造の中心に居ます。
泡構造の軌道半径は7.625×10７光年に成りました。この軌道の中に106太陽質量のブラックホールがありそのブラックホールが作った軌道半径は6.847×104光年になりました。
この軌道半径にはたくさんのブラックホールができています。
宇宙の中心のブラックホールが作った軌道半径2.036×109光年の軌道の半円の長さは、π×2.036×109光年＝3.14×2.036×109光年＝6.393×109光年、になりました。
その半円の中に、8.835×1010太陽質量のブラックホールが作った泡構造の長さは、2×7.625×107光年×73個＝1.113×1010光年、になりました。
宇宙の中心のブラックホールが作った軌道半径2.036×109光年の軌道の半円の長さは、6.393×109光年で、その半円の中に、8.835×1010太陽質量のブラックホールが作った泡構造の長さは1.113×1010光年になり、1.113×1010光年÷(6.393×109光年)＝1.741倍になったので、フイラメント構造のままです。
このように、宇宙の中心のブラックホールが作った軌道半径には、現在宇宙に観察される物の前段階の様子が縮図のようにできています。
【請求項８】
各時代に於いて、大クエーサーができた軌道の歴史はどのようであったか。次に6.194×1010太陽質量のブラックホールがたどった歴史を考える。
6.194×1010太陽質量のブラックホールについては、2013年2月11日に提出した、特願2013−023929に記した。
・10-17m時代はどのようであったか。
宇宙の中心のブラックホールからジェットが噴出し、それは半径2.036×106光年の軌道に大クエーサーを作った。
半径2.036×106光年の軌道に、6.194×1010太陽質量のブラックホールを作った。半円に89個のブラックホールを作った。
宇宙の中心のブラックホールが作った軌道半径2.036×106光年の軌道の半円の長さは3.14×2.036×106光年＝6.393×106光年です。
・5×10-17m時代はどのようであったか。
半径は1.018×107光年に拡大した。この1.018×107光年の軌道の半円に、89個の6.194×1010太陽質量のブラックホールがあった。
このブラックホールからジェットが噴出した。そのジェットは半径1.354×105光年の軌道に届いた。この軌道半径に106太陽質量のブラックホールができた。
宇宙の中心のブラックホールが作った軌道半径1.018×107光年の軌道には、89個の6.194×1010太陽質量のブラックホールがあり、そのブラックホールからジェットが吹き出し、軌道半径1.354×105光年の軌道に届いた。この軌道半径に106太陽質量のブラックホールができた。
宇宙の中心のブラックホールが作った軌道半径1.018×107光年の軌道の半円の長さは、π×1.018×107光年＝3.14×1.018×107光年＝3.197×107光年、です。
その半円の中に、6.194×1010太陽質量のブラックホールのジェットが作った泡構造の長さは、2×1.354×105光年×89個＝2.410×107光年です。
・10-16m時代はどのようであったか。
半径は2.036×107光年に拡大しました。その軌道の半円に89個の6.194×1010太陽質量のブラックホールがあり、1個のブラックホールは1個の泡構造の中心に居ます。
泡構造の軌道半径は6.770×105光年に成りました。この軌道の中に106太陽質量のブラックホールがあり、そのブラックホールからジェットが吹き出し、軌道半径6.847×102光年の軌道に届いた。この軌道半径にブラックホールができた。
宇宙の中心のブラックホールが作った軌道半径2.036×107光年の軌道の半円の長さは、π×2.036×107光年＝3.14×2.036×107光年＝6.393×107光年、になりました。
その半円の中に、6.194×1010太陽質量のブラックホールが作った泡構造の長さは、2×6.770×105光年×89個＝1.205×108光年、になりました。
宇宙の中心のブラックホールが作った軌道半径2.036×107光年の軌道の半円の長さは、6.393×107光年で、その半円の中に、6.194×1010太陽質量のブラックホールが作った泡構造の長さは1.205×108光年になり、1.205×108光年÷(6.393×107光年)＝1.885倍になったので、フイラメント構造になった。
・10-15m時代はどのようであったか。
半径は2.036×108光年に拡大しました。その軌道の中には、半円に89個の6.194×1010太陽質量のブラックホールがあり、1個のブラックホールは1個の泡構造の中心に居ます。
泡構造の軌道半径は6.770×106光年に成りました。この軌道の中に106太陽質量のブラックホールがありそのブラックホールが作った軌道半径は6.847×103光年になりました。
この軌道半径にはたくさんのブラックホールができています。
宇宙の中心のブラックホールが作った軌道半径2.036×108光年の軌道の半円の長さは、π×2.036×108光年＝3.14×2.036×108光年＝6.393×108光年、になりました。
その半円の中に、6.194×1010太陽質量のブラックホールが作った泡構造の長さは、2×6.770×106光年×89個＝1.205×109光年、になりました。
宇宙の中心のブラックホールが作った軌道半径2.036×108光年の軌道の半円の長さは、6.393×108光年で、その半円の中に、6.194×1010太陽質量のブラックホールが作った泡構造の長さは1.205×109光年になり、1.205×109光年÷(6.393×108光年)＝1.885倍になったので、フイラメント構造のままです。
・10-14m時代はどのようであったか。
半径は2.036×109光年に拡大しました。その軌道の中には、半円に89個の6.194×1010太陽質量のブラックホールがあり、1個のブラックホールは1個の泡構造の中心に居ます。
泡構造の軌道半径は6.770×10７光年に成りました。この軌道の中に106太陽質量のブラックホールがありそのブラックホールが作った軌道半径は6.847×104光年になりました。
この軌道半径にはたくさんのブラックホールができています。
宇宙の中心のブラックホールが作った軌道半径2.036×109光年の軌道の半円の長さは、π×2.036×109光年＝3.14×2.036×109光年＝6.393×109光年、になりました。
その半円の中に、6.194×1010太陽質量のブラックホールが作った泡構造の長さは、2×6.770×107光年×89個＝1.205×1010光年、になりました。
宇宙の中心のブラックホールが作った軌道半径2.036×109光年の軌道の半円の長さは、6.393×109光年で、その半円の中に、6.194×1010太陽質量のブラックホールが作った泡構造の長さは1.205×1010光年になり、1.205×1010光年÷(6.393×109光年)＝1.885倍になったので、フイラメント構造のままです。
このように、宇宙の中心のブラックホールが作った軌道半径には、現在宇宙に観察される物の前段階の様子が縮図のようにできています。
・この事により理解できること。
１．5×10-17m時代は、宇宙の中心のブラックホールが作った軌道半径1.018×107光年の軌道の半円の長さは、π×1.018×107光年＝3.14×1.018×107光年＝3.197×107光年、です。
その半円の中に、6.194×1010太陽質量のブラックホールが作った泡構造の長さは、2×1.354×105光年×89個＝2.410×107光年です。
宇宙の中心のブラックホールが作った軌道半径1.018×107光年の軌道の半円の長さは、その半円の中に、6.194×1010太陽質量のブラックホールが作った泡構造の長さより大きかったので、泡構造でした。
2．10-16m時代は、宇宙の中心のブラックホールが作った軌道半径2.036×107光年の軌道の半円の長さは、6.393×107光年で、その半円の中に、6.194×1010太陽質量のブラックホールが作った泡構造の長さは1.205×108光年になり、1.205×108光年÷(6.393×107光年)＝1.885倍になったので、フイラメント構造になった。
3．10-15m時代は、宇宙の中心のブラックホールが作った軌道半径2.036×108光年の軌道の半円の長さは、6.393×108光年で、その半円の中に、6.194×1010太陽質量のブラックホールが作った泡構造の長さは1.205×109光年になり、1.205×109光年÷(6.393×108光年)＝1.885倍になったので、フイラメント構造のままです。
4．10-14m時代は、宇宙の中心のブラックホールが作った軌道半径2.036×109光年の軌道の半円の長さは、6.393×109光年で、その半円の中に、6.194×1010太陽質量のブラックホールが作った泡構造の長さは1.205×1010光年になり、1.205×1010光年÷(6.393×109光年)＝1.885倍になったので、フイラメント構造のままです。
5．宇宙の中心のブラックホールが作った軌道が、その軌道の中に存在する泡構造の直径×泡構造の数、より大きい場合、泡構造になる。
また、宇宙の中心のブラックホールが作った軌道が、その軌道の中に存在する泡構造の直径×泡構造の数、より小さい場合、フイラメント状構造になる。
6．フイラメント状構造になったものは、泡構造には戻らない。
７．もし、現代から遠い時代、遠い空間において、フイラメント構造になっていたものが、現代、地球に近い空間に於いて、泡構造として観察されるのであれば、それは、現代から遠い時代、遠い空間において、フイラメント構造になっていたのではなく、実際は泡構造であったと考えられる。
この事を表に示す。
表１５
2015208168.tif 000024
2015208168.tif 000025
【請求項９】
５と６と７と８に於いて、問題になるのは、100×108光年の軌道半径と142×108光年の軌道半径に於いて、泡構造の大きさが大きすぎるということです。2014年2月27日に提出した、特願2014−037449、「請求項７」で、中心のブラックホールの質量が8.835×1010太陽質量の場合、泡構造の半径は1.363×108光年であり、中心のブラックホールの質量が6.194×1010太陽質量の場合、泡構造の半径は108光年であるとしました。それで、この事について考えます。
各時代のジェットが届いた軌道半径の推移について考えます。
表１６
2015208168.tif 000026
表により考えます。
表１７
2015208168.tif 000027
【請求項１０】
中心のブラックホールの質量が8.835×1010太陽質量の場合。
・ジェットが届いた軌道半径の推移はどのようになるか。
142×108光年の軌道半径に於いて、8.835×1010太陽質量のブラックホールから噴出したジェットが届いた距離は1.363×108光年であることから、5.318×108光年÷(1.363×108光年)＝3.902、3.902分の１、です。
これを計算し表に記入する。
・ジェットが届いた距離が3.908×104光年である場合、これはいつの時代にジェットが届いたか。
8.835×1010＝1010.9462
ジェットが届く距離＝6.477×1011×1010.9462÷3＝6.477×1011×103.6487＝6.477×1014×4.453＝2.884×1015Km
これは、2.884×1015Km÷(9.46×1012Km)＝3.049×102
ジェットが届く距離は3.049×102光年です。
いつの時代にジェットが届いたか。
10-14m時代のｘ倍のエネルギーの時ジェットは届いたとする。
3.049×102光年×ｘ＝3.908×104光年
ｘ＝3.908×104光年÷(3.049×102光年)＝1.282×102
10÷1.282＝7.800
よって、7.8×10-17m時代に、8.835×1010太陽質量のブラックホールからジェットが噴出し届いた。
・10-17m時代。
宇宙の中心のブラックホールが作った軌道半径1.018×107光年の軌道の半円の長さは、π×1.018×107光年＝3.14×1.018×107光年＝3.197×107光年、です。
その半円の中に、8.835×1010太陽質量のブラックホールが作った泡構造の長さは、2×3.908×104光年×73個＝5.706×106光年です。
・10-16m時代。
宇宙の中心のブラックホールが作った軌道半径2.036×107光年の軌道の半円の長さは、π×2.036×107光年＝3.14×2.036×107光年＝6.393×107光年、になりました。
その半円の中に、8.835×1010太陽質量のブラックホールのブラックホールが作った泡構造の長さは、2×1.954×105光年×73個＝2.853×10７光年、になりました。
・10-15m時代。
宇宙の中心のブラックホールが作った軌道半径2.036×108光年の軌道の半円の長さは、π×2.036×108光年＝3.14×2.036×108光年＝6.393×108光年、になりました。
その半円の中に、8.835×1010太陽質量のブラックホールのブラックホールが作った泡構造の長さは、2×1.954×106光年×73個＝2.853×108光年、になりました。
・10-14m時代。
宇宙の中心のブラックホールが作った軌道半径2.036×109光年の軌道の半円の長さは、π×2.036×109光年＝3.14×2.036×109光年＝6.393×109光年、になりました。
その半円の中に、8.835×1010太陽質量のブラックホールのブラックホールが作った泡構造の長さは、2×1.954×10７光年×73個＝2.853×109光年、になりました。
これらの事から、この場合の宇宙構造は泡構造です。
【請求項１１】
中心のブラックホールの質量が6.194×1010太陽質量の場合
・ジェットが届いた軌道半径の推移はどのようになるか。
142×108光年の軌道半径に於いて、6.194×1010太陽質量のブラックホールがつくったから噴出したジェットが届いた距離は108光年であることから、4.721×108光年÷108光年＝4.721、4.721分の１、です。
これを計算し表に記入する。
・ジェットが届いた距離が2.868×104光年である場合、これはいつの時代にジェットが届いたか。
6.194×1010＝1010.7920
ジェットが届いく距離＝6.477×1011×1010.7920÷3＝6.477×1011×103.5973＝6.477×1014×3.956＝2.562×1015Km
これは、2.562×1015Km÷(9.46×1012Km)＝2.708×102、光年です。
いつの時代にジェットが届いたか。
2.708×102光年×ｘ＝2.868×104光年
ｘ＝2.868×104光年÷(2.708×102光年)＝1.059×102
10÷1.059＝9.443
よって、9.443×10-17m時代に、6.194×1010太陽質量のブラックホールからジェットが噴出し届いた。
・10-17m時代。
宇宙の中心のブラックホールが作った軌道半径1.018×107光年の軌道の半円の長さは、π×1.018×107光年＝3.14×1.018×107光年＝3.197×107光年、です。
その半円の中に、6.194×1010太陽質量のブラックホールが作った泡構造の長さは、2×2.868×104光年×89個＝5.105×106光年です。
・10-16m時代。
宇宙の中心のブラックホールが作った軌道半径2.036×107光年の軌道の半円の長さは、π×2.036×107光年＝3.14×2.036×107光年＝6.393×107光年、になりました。
その半円の中に、6.194×1010太陽質量のブラックホールが作った泡構造の長さは、2×1.434×105光年×89個＝2.553×10７光年、になりました。
・10-15m時代。
宇宙の中心のブラックホールが作った軌道半径2.036×108光年の軌道の半円の長さは、π×2.036×108光年＝3.14×2.036×108光年＝6.393×108光年、になりました。
その半円の中に、6.194×1010太陽質量のブラックホールが作った泡構造の長さは、2×1.434×106光年×89個＝2.553×108光年、になりました。
・10-14m時代。
宇宙の中心のブラックホールが作った軌道半径2.036×109光年の軌道の半円の長さは、π×2.036×109光年＝3.14×2.036×109光年＝6.393×109光年、になりました。
その半円の中に、6.194×1010太陽質量のブラックホールが作った泡構造の長さは、2×1.434×107光年×89個＝2.553×109光年、になりました。
これらの事から、この場合の宇宙構造は泡構造です。
このことを表に示す。
表１８
2015208168.tif 000028
2015208168.tif 000029
【請求項１２】
宇宙のフィラメント構造はどのようにできるか。
宇宙のフィラメント構造は2つの場合できる。
１つは宇宙の初期の時代、泡構造と泡構造の間隔は小さい。その上、素粒子のエネルギーは大きいので引力は大きい。
この引力により、泡構造と泡構造は引きあい、フィラメント構造を作る。
2つは、宇宙の中心のブラックホールが作った軌道が、その軌道の中に存在する泡構造の直径×泡構造の数、より小さい場合、フイラメント構造になる。
次に、宇宙の初期の時代の引力を示す。
これは、2012年6月13日に提出した、特願2012−133515、「宇宙の軌道エネルギーと泡状銀河集団の回転」の「請求項2」のまとめです。
10-14m時代の外側の軌道半径を142×108光年とする。
・宇宙の場合、エネルギーと速度はどのように変化したか。
軌道エネルギー＝4.810×1027JKm÷距離、の式で計算する。
表１９
2015208168.tif 000030
2015208168.tif 000031
【請求項１３】
泡構造を作るブラックホールからジェットが噴出する時代を5×10-17m時代とし、宇宙の中心のブラックホールからジェットが噴出し届く時代を10-17m時代とする場合、フイラメント構造となるときと、泡構造になる分岐点となる泡構造を作るブラックホールの質量はいくらか。泡構造の数を73×2の場合と89×2の場合について求める。
泡構造の数が73×2個の場合。
泡構造の中心のブラックホールの質量を10ｎ太陽質量とする。
泡構造の中心のブラックホールが作った軌道半径×2×円周の泡構造の数＝6.477×1011×10n/3×5×102Km×73×2個＝4.728×1016×10n/3Km
宇宙中心のブラックホールが作る軌道半径×2×3.14＝6.477×1011×1013.4202/3×103Km×2×3.14＝4.068×１015Km×104.4734＝4.068×１019Km×2.974＝1.210×1020Km
フイラメン構造になる場合。
泡構造の中心のブラックホールが作った軌道半径×2×円周の泡構造の数＞宇宙中心のブラックホールが作る軌道半径×2×3.14
4.728×1016×10n/3Km＞1.210×1020Km
10n/3＞1.210×1020Km÷(4.728×1016)
10n/3＞2.559×103＝103.4080
10n＞103.4080×3＝1010.224＝1.675×1010
よって、円周軌道の泡構造の数を73×2個とすると、フイラメント構造になる場合は、泡構造の中心のブラックホールの質量は1.675×1010太陽質量以上です。
泡構造の数が89×2個の場合。
泡構造の中心のブラックホールの質量を10ｎ太陽質量とする。
泡構造の中心のブラックホールが作った軌道半径×2×円周の泡構造の数＝6.477×1011×10n/3×5×102Km×89×2個＝5.765×1016×10n/3Km
宇宙中心のブラックホールが作る軌道半径×2×3.14＝6.477×1011×1013.4202/3×103Km×2×3.14＝4.068×１015Km×104.4734＝4.068×１019Km×2.974＝1.210×1020Km
フイラメン構造になる場合。
泡構造の中心のブラックホールが作った軌道半径×2×円周の泡構造の数＞宇宙中心のブラックホールが作る軌道半径×2×3.14
5.765×1016×10n/3Km＞1.210×1020Km
10n/3Km＞1.210×1020Km÷(5.765×1016)＝2.099×103＝103.3220
10ｎ＞103.3220×3＝109.9660＝9.246×109
よって、円周軌道の泡構造の数を89×2個とすると、フイラメント構造になる場合は、泡構造の中心のブラックホールの質量は9.246×109太陽質量以上です。
このことを表に示す
表２０
2015208168.tif 000032
【発明の詳細な説明】
【技術分野】
【０００１】
本発明は、宇宙の泡構造とフィラメント構造に関するものである。
【背景技術】
【０００２】
2014年2月２７日に提出した、特願2014−037449「宇宙の中心のブラックホールができた時空とU1.27と泡構造」に、U1.27に存在する大クエーサーについて記した。
2014年3月15日に提出した、特願2014−052829の「ブラックホールとブラックホールのジェットが作る軌道と速度」の「請求項12」で、宇宙の中心の2.631×1013太陽質量のブラックホールからジェットが噴出する時代を10-17m時代とする。そして、大クエーサーからジェットが噴出する時代を10-17m時代とする。銀河の中心のブラックホールからジェットが噴出する時代を10-16m時代とする。と記した。
【先行技術文献】
【特許文献】
【０００３】
【特許文献１】特願2012−133515
【特許文献１】特願2014−037449
【特許文献１】特願2014−052829
【特許文献１】特願2014−075852
【発明の概要】
【発明が解決しようとする課題】
【０００４】
１．宇宙の中心のブラックホールから噴出するジェットが届く距離と、大クエーサーから噴出するジェットが届く距離と、クエーサーから噴出するジェットが届く距離について。
２．大クエーサーからジェットが噴出する時代を5×10-17m時代とする。大クエーサーのブラックホールの質量が、6.194×1010太陽質量である場合、ジェットが届いた軌道半径はいくらか。この軌道の速度はいくらか。ジェットが届いた軌道半径に何ができたか。
３．大クエーサーからジェットが噴出する時代を5×10-17mとする。大クエーサーのブラックホールの質量が、8.835×1010太陽質量である場合、ジェットが届いた軌道半径はいくらか。この軌道の速度はいくらか。ジェットが届いた軌道半径に何ができたか。
４．ブラックホールから噴出したジェットが届いた軌道半径は、10-17m時代、5×10-17m時代、10-16m時代、10-15m時代、10-14m時代どのように推移したか。
５．10-14m時代のジェットが届いた軌道半径100×108光年と142×108光年ではどれくらいになっているか。
６．軌道半径2.036×109光年の軌道にたくさんの大クエーサー群が存在する。その歴史をたどる。
７．各時代に於いて、大クエーサーができた軌道の歴史はどのようであったか。まず初めに8.835×1010太陽質量のブラックホールがたどった歴史を考える。
８．各時代に於いて、大クエーサーができた軌道の歴史はどのようであったか。次に6.194×1010太陽質量のブラックホールがたどった歴史を考える。
９．５と６と７と８に於いて、問題になるのは、100×108光年の軌道半径と142×108光年の軌道半径に於いて、泡構造の大きさが大きすぎるということです。2014年2月27日に提出した、特願2014−037449、「請求項７」で、中心のブラックホールの質量が8.835×1010太陽質量の場合、泡構造の半径は1.363×108光年であり、中心のブラックホールの質量が6.194×1010太陽質量の場合、泡構造の半径は108光年であるとしました。それで、この場合について考えます。
１０．中心のブラックホールの質量が8.835×1010太陽質量の場合。
・ジェットが届いた軌道半径の推移はどのようになるか。
・ジェットが届いた距離が3.908×104光年である場合、これはいつの時代にジェットが届いたか。
・10-17m時代、10-16m時代、10-16m時代、10-16m時代について、其々の宇宙の中心のブラックホールが作った軌道の半円の長さと、その軌道の中に存在する泡構造の直径×泡構造の数をもとめる。
１１．中心のブラックホールの質量が6.194×1010太陽質量の場合。
・ジェットが届いた軌道半径の推移はどのようになるか。
・ジェットが届いた距離が2.868×104光年である場合、これはいつの時代にジェットが届いたか。
・10-17m時代、10-16m時代、10-16m時代、10-16m時代について、其々の宇宙の中心のブラックホールが作った軌道の半円の長さと、その軌道の中に存在する泡構造の直径×泡構造の数をもとめる。
１２．宇宙のフィラメント構造はどのようにできるか。
１３．泡構造を作るブラックホールからジェットが噴出する時代を2×10-17m時代とし、宇宙の中心のブラックホールからジェットが噴出し届く時代を10-17m時代とする場合、フイラメント構造となるときと、泡構造になる分岐点となる泡構造を作るブラックホールの質量はいくらか。泡構造の数を73×2の場合と89×2の場合について求める。
【課題を解決するための手段】
【０００５】
１．大クエーサーからジェットが噴出する時代を5×10-17m時代とする。
２．ジェットが届く距離＝6.477×1011×10n/3×5×102＝6.477×1011×1010.7920÷3×5×102＝6.477×1011×103.5973×5×102＝6.477×1011×103×3.956×5×102＝1.281×1018(Km)
これは、1.281×1018Km÷(9.46×1012Km)＝1.354×105光年です。
この軌道エネルギー＝5.438×1018×102n/3JKm÷半径＝5.438×1018×102×10.7920÷3JKm÷半径＝5.438×1018×107.1947JKm÷半径＝5.438×1018×107×1.575JKm÷半径＝8.565×1025JKm÷半径。
それで、速度2＝8.565×1025JKm÷半径＝8.565×1025JKm÷(1.281×1018Km)＝6.686×107J
速度＝(6.686×107)1/2=8.177×103(Km)
３．ジェットが届く距離＝6.477×1011×10n/3×5×102＝6.477×1011×1010.9462÷3×5×102＝6.477×1011×103.649×5×102＝6.477×1011×103×4.456×5×102＝1.443×1018(Km)
これは、1.443×1018Km÷(9.46×1012Km)＝1.525×105光年です。
この軌道エネルギー＝5.438×1018×102n/3JKm÷半径＝5.438×1018×102×10.9462÷3JKm÷半径＝5.438×1018×107.2975JKm÷半径＝5.438×1018×107×1.983JKm÷半径＝1.078×1026JKm÷半径。
それで、速度2＝1.078×1026JKm÷半径＝1.078×1026JKm÷(1.443×1018Km)＝7.471×107J
速度＝(7.471×107)1/2＝8.643×103(Km)
４．表に示す。
５．100×108光年では、ジェットが届いた軌道半径＝2.036×109光年のジェットが届いた軌道半径×100×108光年÷2.036×109光年＝2.036×109光年のジェットが届いた軌道半径×4.912。
142×108光年では、ジェットが届いた軌道半径＝2.036×109光年のジェットが届いた軌道半径×142×108光年÷2.036×109光年＝2.036×109光年のジェットが届いた軌道半径×6.974。
６．中央の2.631×1013太陽質量のブラックホールは10-17m時代にできたとすると、そのエネルギーは10-14m時代の103倍なので、ジェットは、2.036×103+3光年=2.036×106光年まで届き、この軌道半径にたくさんの大クエーサー群を作った。
この軌道半径は10-17m時代から10-14m時代に成り、1000倍に拡大したので、この軌道半径は現代、2.036×106+3光年＝2.036×109光年です。
それで、現代、軌道半径2.036×109光年の軌道にたくさんの大クエーサー群は存在する。
７．10-17m時代、5×10-17m時代、10-16m時代、10-15m時代、10-14m時代、はどのようであったかを記す。
宇宙の中心のブラックホールが作った軌道半径の軌道の半円の長さ＝3.14×宇宙の中心のブラックホールが作った軌道半径、を計算する。
宇宙の中心のブラックホールが作った軌道の中に存在する泡構造の直径×泡構造の数、を計算する。
８．10-17m時代、5×10-17m時代、10-16m時代、10-15m時代、10-14m時代、はどのようであったかを記す。
宇宙の中心のブラックホールが作った軌道半径の軌道の半円の長さ＝3.14×宇宙の中心のブラックホールが作った軌道半径、を計算する。
宇宙の中心のブラックホールが作った軌道の中に存在する泡構造の直径×泡構造の数、を計算する。
９．表により考えます。
１０．中心のブラックホールの質量が8.835×1010太陽質量の場合。
・142×108光年の軌道半径に於いて、8.835×1010太陽質量のブラックホールから噴出したジェットが届いた距離は1.363×108光年であることから、5.318×108光年÷(1.363×108光年)＝3.902、3.902分の１、です。
・ジェットが届く距離をもとめ、これはいつの時代にジェットが届いたか、を求める。10-14m時代のｘ倍のエネルギーの時ジェットは届いたとする。
・計算し、表に記す。
１１．中心のブラックホールの質量が6.194×1010太陽質量の場合。
・142×108光年の軌道半径に於いて、6.194×1010太陽質量のブラックホールから噴出したジェットが届いた距離は108光年であることから、4.721×108光年÷108光年＝4.721、4.721分の１、です。
・ジェットが届く距離をもとめ、これはいつの時代にジェットが届いたか、を求める。10-14m時代のｘ倍のエネルギーの時ジェットは届いたとする。
・計算し、表に記す。
１２．宇宙のフイラメント構造は2つの場合できる。
１３．泡構造の中心のブラックホールが作った軌道半径×2×円周の泡構造の数＝6.477×1011×10n/3×5×102Km×73×2個＝4.728×1016×10n/3Km
宇宙中心のブラックホールが作る軌道半径×2×3.14＝6.477×1011×1013.4202/3×103Km×2×3.14＝4.068×１015Km×104.4734＝4.068×１019Km×2.974＝1.210×1020Km
【発明の効果】
【０００６】
１．大クエーサーからジェットが噴出する時代を5×10-17m時代として計算する。
２．大クエーサーのブラックホールの質量が、6.194×1010太陽質量である場合、ジェットが届いた軌道半径は、1.281×1018Km で1.354×105光年です。
この軌道の速度は8.177×103Kmです。
・大クエーサーのジェットが届いた軌道半径に泡構造の中心になるブラックホールができた。
・大クエーサーのジェットが届いた軌道半径に泡構造ができた。
・大クエーサーのブラックホールは泡構造の中心点になった。
・泡構造の銀河達は大クエーサーのブラックホールを中心に回転する。
３．大クエーサーのブラックホールの質量が、8.835×1010太陽質量である場合、ジェットが届いた軌道半径は、1.443×1018Kmで、1.525×105光年です。
この軌道の速度は8.643×103Kmです。
大クエーサーのジェットが届いた軌道半径に銀河の中心になるブラックホールができた。
大クエーサーのジェットが届いた軌道半径に泡構造ができた。
大クエーサーのブラックホールは泡構造の中心点になった。
泡構造の銀河達は大クエーサーのブラックホールを中心に回転する。
４．表に示す。
５．計算し、表に示す。
６．宇宙の中央のブラックホールのジェットが届いた軌道半径の推移を表に示す。
７．表に示す。
８．表に示す
宇宙の中心のブラックホールが作った軌道半径には、現在宇宙に観察される物の前段階の様子が縮図のようにできています。
・この事により理解できること。
１．5×10-17m時代は、宇宙の中心のブラックホールが作った軌道半径1.018×107光年の軌道の半円の長さは、π×1.018×107光年＝3.14×1.018×107光年＝3.197×107光年、です。
その半円の中に、6.194×1010太陽質量のブラックホールのジェットが届いた円の長さは、2×1.354×105光年×89個＝2.410×107光年です。
宇宙の中心のブラックホールが作った軌道半径1.018×107光年の軌道の半円の長さは、その半円の中に、6.194×1010太陽質量のブラックホールのジェットが届いた円の長さより大きかったので、泡構造でした。
2．10-16m時代は、宇宙の中心のブラックホールが作った軌道半径2.036×107光年の軌道の半円の長さは、6.393×107光年で、その半円の中に、6.194×1010太陽質量のブラックホールのジェットが届いた円の長さは1.205×108光年になり、1.205×108光年÷(6.393×107光年)＝1.885倍になったので、フイラメント構造になった。
3．10-15m時代は、宇宙の中心のブラックホールが作った軌道半径2.036×108光年の軌道の半円の長さは、6.393×108光年で、その半円の中に、6.194×1010太陽質量のブラックホールのジェットが届いた円の長さは1.205×109光年になり、1.205×109光年÷(6.393×108光年)＝1.885倍になったので、フイラメント構造のままです。
4．10-14m時代は、宇宙の中心のブラックホールが作った軌道半径2.036×109光年の軌道の半円の長さは、6.393×109光年で、その半円の中に、6.194×1010太陽質量のブラックホールのジェットが届いた円の長さは1.205×1010光年になり、1.205×1010光年÷(6.393×109光年)＝1.885倍になったので、フイラメント構造のままです。
5．宇宙の中心のブラックホールが作った軌道が、その軌道の中に存在する泡構造の直径×泡構造の数、より大きい場合、泡構造になる。
また、宇宙の中心のブラックホールが作った軌道が、その軌道の中に存在する泡構造の直径×泡構造の数、より小さい場合、フイラメント状構造になる。
6．フイラメント状構造になったものは、泡構造には戻らない。
７．もし、現代から遠い時代、遠い空間において、フイラメント構造になっていたものが、現代、地球に近い空間に於いて、泡構造として観察されるのであれば、それは、現代から遠い時代、遠い空間において、フイラメント構造になっていたのではなく、実際は泡構造であったと考えられる。
９．表に記す。
１０．中心のブラックホールの質量が8.835×1010太陽質量の場合。
・これを計算し、表に記す。
・7.8×10-17m時代に、8.835×1010太陽質量のブラックホールからジェットが噴出した。
・計算し、表に記す。
１１．中心のブラックホールの質量が6.194×1010太陽質量の場合。
・これを計算し、表に記す。
・9.443×10-17m時代に、6.194×1010太陽質量のブラックホールからジェットが噴出した。
・計算し、表に記す。
１２．１つは宇宙の初期の時代、泡構造と泡構造の間隔は小さい。その上、素粒子のエネルギーは大きいので引力は大きい。
この引力により、泡構造と泡構造は引かれあい、フィラメント構造を作る。
2つは、宇宙の中心のブラックホールが作った軌道が、その軌道の中に存在する泡構造の直径×泡構造の数、より小さい場合、フイラメント状構造になる。
１３．円周軌道の泡構造の数を73×2個とすると、フイラメント構造になる場合は、泡構造の中心のブラックホールの質量は1.675×1010太陽質量以上です。
円周軌道の泡構造の数を89×2個とすると、フイラメント構造になる場合は、泡構造の中心のブラックホールの質量は9.246×109太陽質量以上です。
【図面の簡単な説明】
【０００７】
【図１】図１はフイラメント構造ができる原理を示す。泡構造と泡構造が近づきすぎると、押し合いフィラメント構造になる。初期の宇宙では引力が強いので、隣の泡構造は引き合いフィラメント構造に成りやすい。
【図２】図２は時代とその時代に起きたことを示す。8.835×1010太陽質量のブラックホールが作ったものを泡構造として記す。10-17m時代、宇宙の中心の2.631×1013太陽質量のブラックホールからジェットが噴出し、軌道半径2.036×105光年まで届き、その軌道半径に8.835×1010太陽質量のブラックホールを作る。半円に73個の8.835×1010太陽質量のブラックホールができた。5×10-17m時代、宇宙の中心の2.631×1013太陽質量のブラックホールが作った軌道半径は、1.018×10７光年になる。その半円に73個の8.835×1010太陽質量のブラックホールが存在する。その8.835×1010太陽質量のブラックホールからジェットが噴出し、半径1.525×105光年まで届き、泡構造を作る。その軌道半径に106太陽質量のブラックホールを作る。泡構造の半径は1.525×105光年で、この軌道上に、106太陽質量のブラックホールが存在する。泡構造の中心には、8.835×1010太陽質量のブラックホールが存在する。宇宙の中心のブラックホールが作った半円は、3.14×1.018×10７光年＝3.197×107光年です。その半円の中に、8.835×1010太陽質量のブラックホールが作った泡構造の長さは、2×1.525×105光年×73個＝2.227×107光年です。10-16m時代、宇宙の中心の2.631×1013太陽質量のブラックホールが作った軌道半径は、2.036×107光年になる。8.835×1010太陽質量のブラックホールが作った泡構造の半径は7.625×105光年になる。8.835×1010太陽質量のブラックホールが作った泡構造の軌道には、106太陽質量のブラックホールが存在し、その106太陽質量のブラックホールからジェットが噴出し6.847×102光年まで届き、この辺に10４から１太陽質量のブラックホールを作る。宇宙の中心のブラックホールが作った半円は、3.14×2.036×107光年＝6.393×107光年です。その半円の中に、8.835×1010太陽質量のブラックホールが作った泡構造の長さは、2×7.625×105光年×73個＝1.113×108光年です。半円の中に、8.835×1010太陽質量のブラックホールが作った泡構造の長さ÷宇宙の中心のブラックホールが作った半円＝1.113×108光年÷(6.393×107光年)＝1.741、倍です。それで、泡構造はフィラメント構造になりました。10-15m時代、宇宙の中心の2.631×1013太陽質量のブラックホールが作った軌道半径は、2.036×108光年になる。8.835×1010太陽質量のブラックホールが作った泡構造の半径は7.625×106光年になる。8.835×1010太陽質量のブラックホールが作った泡構造の軌道には、106太陽質量のブラックホールが存在し、その106太陽質量のブラックホールが作った軌道半径は6.847×103光年になり、この辺に10４から１太陽質量のブラックホールが存在する。宇宙の中心のブラックホールが作った半円は、3.14×2.036×108光年＝6.393×108光年です。その半円の中に、8.835×1010太陽質量のブラックホールが作った泡構造の長さは、2×7.625×106光年×73個＝1.113×109光年です。半円の中に、8.835×1010太陽質量のブラックホールが作った泡構造の長さ÷宇宙の中心のブラックホールが作った半円＝1.113×109光年÷(6.393×108光年)＝1.741、倍です。それで、泡構造はフィラメント構造になりました。10-14m時代、宇宙の中心の2.631×1013太陽質量のブラックホールが作った軌道半径は、2.036×109光年になる。8.835×1010太陽質量のブラックホールが作った泡構造の半径は7.625×107光年になる。8.835×1010太陽質量のブラックホールが作った泡構造の軌道には、106太陽質量のブラックホールが存在し、その106太陽質量のブラックホ��ルが作った軌道半径は6.847×10４光年になり、この辺に10４から１太陽質量のブラックホールが存在する。宇宙の中心のブラックホールが作った半円は、3.14×2.036×109光年＝6.393×109光年です。その半円の中に、8.835×1010太陽質量のブラックホールが作った泡構造の長さは、2×7.625×107光年×73個＝1.113×1010光年です。半円の中に、8.835×1010太陽質量のブラックホールが作った泡構造の長さ÷宇宙の中心のブラックホールが作った半円＝1.113×1010光年÷(6.393×109光年)＝1.741、倍です。それで、泡構造はフィラメント構造になりました。
【発明を実施するための形態】
【０００８】
１．  宇宙の中心のブラックホールから噴出するジェットが届く距離と、大クエーサーから噴出するジェットが届く距離と、クエーサーから噴出するジェットが届く距離について。
宇宙の中心のブラックホールから噴出するジェットが届く距離と、大クエーサーから噴出するジェットが届く距離と、クエーサーから噴出するジェットが届く距離は、現代どの軌道半径に存在するかは、いつの時代にジェットが噴出したかにより異なる。
私は、2014年3月15日に提出した、特願2014−052829の「ブラックホールとブラックホールのジェットが作る軌道と速度」の「請求項12」で、宇宙の中心の2.631×1013太陽質量のブラックホールからジェットが噴出する時代を10-17m時代とする。そして、大クエーサーからジェットが噴出する時代を10-17m時代とする。泡構造の中心のブラックホールからジェットが噴出する時代を10-16m時代とする。と記した。
しかし、宇宙の中心の2.631×1013太陽質量のブラックホールからジェットが噴出する時代を10-17m時代とし、同じ時代に、大クエーサーからジェットが噴出するとするならば、大クエーサーのブラックホールができるとすぐジェットが噴出したことになる。
それで、大クエーサーからジェットが噴出する時代を5×10-17m時代とする。
２．    大クエーサーからジェットが噴出する時代を5×10-17m時代とする。大クエーサーのブラックホールの質量が、6.194×1010太陽質量である場合、ジェットが届いた軌道半径はいくらか。この軌道の速度はいくらか。ジェットが届いた軌道半径に何ができたか。
5×10-17m時代のエネルギーは10-14m時代のエネルギーの5×102倍であるから、5×102倍遠く飛ぶ。
6.194×1010＝1010.7920
ジェットが届く距離＝6.477×1011×10n/3×5×102＝6.477×1011×1010.7920÷3×5×102＝6.477×1011×103.5973×5×102＝6.477×1011×103×3.956×5×102＝1.281×1018(Km)
これは、1.281×1018Km÷(9.46×1012Km)＝1.354×105光年です。
この軌道エネルギー＝5.438×1018×102n/3JKm÷半径＝5.438×1018×102×10.7920÷3JKm÷半径＝5.438×1018×107.1947JKm÷半径＝5.438×1018×107×1.575JKm÷半径＝8.565×1025JKm÷半径。
それで、速度2＝8.565×1025JKm÷半径＝8.565×1025JKm÷(1.281×1018Km)＝6.686×107J
速度＝(6.686×107)1/2=8.177×103(Km)
大クエーサーのブラックホールの質量が、6.194×1010太陽質量である場合、ジェットが届いた軌道半径は、1.281×1018Km で1.354×105光年です。
この軌道の速度は8.177×103Kmです。
・大クエーサーのジェットが届いた軌道半径に泡構造の中心になるブラックホールができた。
・大クエーサーのジェットが届いた軌道半径に泡構造ができた。
・大クエーサーのブラックホールは泡構造の中心点になった。
・泡構造の銀河達は大クエーサーのブラックホールを中心に回転する。
３．    大クエーサーからジェットが噴出する時代を5×10-17mとする。大クエーサーのブラックホールの質量が、8.835×1010太陽質量である場合、ジェットが届いた軌道半径はいくらか。この軌道の速度はいくらか。ジェットが届いた軌道半径に何ができたか。
5×10-17m時代のエネルギーは10-14m時代のエネルギーの5×102倍であるから、5×102倍遠く飛ぶ。
8.835×1010＝1010.9462
ジェットが届く距離＝6.477×1011×10n/3×5×102＝6.477×1011×1010.9462÷3×5×102＝6.477×1011×103.649×5×102＝6.477×1011×103×4.456×5×102＝1.443×1018(Km)
これは、1.443×1018Km÷(9.46×1012Km)＝1.525×105光年です。
この軌道エネルギー＝5.438×1018×102n/3JKm÷半径＝5.438×1018×102×10.9462÷3JKm÷半径＝5.438×1018×107.2975JKm÷半径＝5.438×1018×107×1.983JKm÷半径＝1.078×1026JKm÷半径。
それで、速度2＝1.078×1026JKm÷半径＝1.078×1026JKm÷(1.443×1018Km)＝7.471×107J
速度＝(7.471×107)1/2＝8.643×103(Km)
大クエーサーのブラックホールの質量が、8.835×1010太陽質量である場合、ジェットが届いた軌道半径は、1.443×1018Kmで、1.525×105光年です。
この軌道の速度は8.643×103Kmです。
・大クエーサーのジェットが届いた軌道半径に銀河の中心になるブラックホールができた。
・大クエーサーのジェットが届いた軌道半径に泡構造ができた。
・大クエーサーのブラックホールは泡構造の中心点になった。
・泡構造の銀河達は大クエーサーのブラックホールを中心に回転する。
これは、2014年3月15日に提出した、特願2014-05282、「ブラックホールとブラックホールのジェットが作る軌道と速度」の「請求項12」「請求項13」「請求項16」「請求項17」の再考察です。
表１
2015208168.tif 000003
４．    ブラックホールから噴出したジェットが届いた軌道半径は、10-17m時代、5×10-17m時代、10-16m時代、10-15m時代、10-14m時代どのように推移したか。
表２
2015208168.tif 000004
５．    10-14m時代のジェットが届いた軌道半径100×108光年と142×108光年ではどれくらいになっているか。
100×108光年では、ジェットが届いた軌道半径＝2.036×109光年のジェットが届いた軌道半径×100×108光年÷2.036×109光年＝2.036×109光年のジェットが届いた軌道半径×4.912。
142×108光年では、ジェットが届いた軌道半径＝2.036×109光年のジェットが届いた軌道半径×142×108光年÷2.036×109光年＝2.036×109光年のジェットが届いた軌道半径×6.974。
6.194×1010太陽質量の場合。
100×108光年では、ジェットが届いた軌道半径＝6.770×107光年×4.912＝3.325×108光年。
142×108光年では、ジェットが届いた軌道半径＝6.770×107光年×6.974＝4.721×108光年。
8.835×1010太陽質量の場合。
100×108光年では、ジェットが届いた軌道半径＝7.625×107光年×4.912＝3.745×108光年。
142×108光年では、ジェットが届いた軌道半径＝7.625×107光年×6.974＝5.318×108光年。
106太陽質量の場合。
100×108光年では、ジェットが届いた軌道半径＝6.847×104光年×4.912＝3.363×105光年。
142×108光年では、ジェットが届いた軌道半径＝6.847×104光年×6.974＝4.775×105光年。
105太陽質量の場合。
100×108光年では、ジェットが届いた軌道半径＝3.179×104光年×4.912＝1.562×105光年。
142×108光年では、ジェットが届いた軌道半径＝3.179×104光年×6.974＝2.217×105光年。
このデーターを記入する。
表３
2015208168.tif 000005
６．    軌道半径2.036×109光年の軌道にたくさんの大クエーサー群が存在する。その歴史をたどる。
2014年4月1日に提出した、特願2014−075852、「星の中央の中性子の塊と引力と宇宙の初期の中性子の塊と引力でできる元素」の「請求項１」に於いて、次のように記した。
宇宙の中央に、2.631×1013太陽質量のブラックホールができた時、ジェット噴射はどこまで届いたか。この軌道半径は何光年か。この軌道半径は現在どれ位の軌道半径に成っているか。
ジェットが届く距離＝6.477×1011×10n/3Km＝6.477×1011×(2.631×1013)1/3Km＝6.477×1011×26.311/3×104 Km＝6.477×1011×2.974×104 Km＝1.926×1016Km
これは、1.926×1016Km÷(9.46×1012Km)＝2.036×103光年、です。
中央の2.631×1013太陽質量のブラックホールは10-17m時代にできたとすると、そのエネルギーは10-14m時代の103倍なので、ジェットは、2.036×103+3光年=2.036×106光年まで届き、この軌道半径にたくさんの大クエーサー群を作った。
この軌道半径は10-17m時代から10-14m時代に成り、1000倍に拡大したので、この軌道半径は現代、2.036×106+3光年＝2.036×109光年です。
それで、現代、軌道半径2.036×109光年の軌道にたくさんの大クエーサー群は存在する。
今回は、大クエーサーからジェットが噴出したのは、5×10-17mの時代であると考える。
それで、宇宙の中央のブラックホールのジェットが届いた軌道半径の推移は次のようになる。
表４
2015208168.tif 000006
2015208168.tif 000007
2015208168.tif 000008
７．    各時代に於いて、大クエーサーができた軌道の歴史はどのようであったか。まず初めに8.835×1010太陽質量のブラックホールがたどった歴史を考える。
8.835×1010太陽質量のブラックホールは、U1.27の大クエーサー群の中のブラックホールです。半円に73個存在する。このことについては、2014年2月27日に提出した、特願2014−037449に記した。
・10-17m時代はどのようであったか。
宇宙の中心のブラックホールからジェットが噴出し、それは半径2.036×106光年の軌道にブラックホールを作った。
半径2.036×106光年の軌道に、8.835×1010太陽質量のブラックホールを作った。半円に73個のブラックホールを作った。  
宇宙の中心のブラックホールが作った軌道半径2.036×106光年の軌道の半円の長さは、3.14×2.036×106光年＝6.393×106光年です。
・5×10-17m時代はどのようであったか。
半径は1.018×107光年に拡大した。この1.018×107光年の軌道の半円に、73個の8.835×1010太陽質量のブラックホールがあった。
このブラックホールからジェットが噴出した。そのジェットは半径1.525×105光年の軌道に届いた。これが泡構造です。この軌道半径に106太陽質量のブラックホールができた
宇宙の中心のブラックホールが作った軌道半径1.018×107光年の軌道には、2×73個の8.835×1010太陽質量のブラックホールがあり、そのブラックホールからジェットが吹き出し、軌道半径1.525×105光年の軌道に届いた。この軌道半径に106太陽質量のブラックホールができた。
宇宙の中心のブラックホールが作った軌道半径1.018×107光年の軌道の半円の長さは、π×1.018×107光年＝3.14×1.018×107光年＝3.197×107光年、です。
その半円の中に、8.835×1010太陽質量のブラックホールが作った泡構造の長さは、2×1.525×105光年×73個＝2.227×107光年です。
・10-16m時代はどのようであったか。
半径は2.036×107光年に拡大しました。その軌道の中には、半円に73個の8.835×1010太陽質量のブラックホールがあり、1個のブラックホールは1個の泡構造の中心に居ます。
泡構造の軌道半径は7.625×105光年に成りました。この軌道の中に106太陽質量のブラックホールがあり、そのブラックホールからジェットが吹き出し、軌道半径6.847×102光年の軌道に届いた。この軌道半径にブラックホールができた。
宇宙の中心のブラックホールが作った軌道半径2.036×107光年の軌道の半円の長さは、π×2.036×107光年＝3.14×2.036×107光年＝6.393×107光年、になりました。
その半円の中に、8.835×1010太陽質量のブラックホールが作った泡構造の長さは、2×7.625×105光年×73個＝1.113×108光年、になりました。
宇宙の中心のブラックホールが作った軌道半径2.036×107光年の軌道の半円の長さは、6.393×107光年で、その半円の中に、8.835×1010太陽質量のブラックホールが作った泡構造の長さは1.113×108光年になり、1.113×108光年÷(6.393×107光年)＝1.741倍になったので、フイラメント構造になった。
・10-15m時代はどのようであったか。
半径は2.036×108光年に拡大しました。その軌道の中には、半円に73個の8.835×1010太陽質量のブラックホールがあり、1個のブラックホールは1個の泡構造の中心に居ます。
泡構造の軌道半径は7.625×106光年に成りました。この軌道の中に106太陽質量のブラックホールがありそのブラックホールが作った軌道半径は6.847×103光年になりました。
この軌道半径にはたくさんのブラックホールができています。
宇宙の中心のブラックホールが作った軌道半径2.036×108光年の軌道の半円の長さは、π×2.036×108光年＝3.14×2.036×108光年＝6.393×108光年、になりました。
その半円の中に、8.835×1010太陽質量のブラックホールが作った泡構造の長さは、2×7.625×106光年×73個＝1.113×109光年、になりました。
宇宙の中心のブラックホールが作った軌道半径2.036×108光年の軌道の半円の長さは、6.393×108光年で、その半円の中に、8.835×1010太陽質量のブラックホールが作った泡構造の長さは1.113×109光年になり、1.113×109光年÷(6.393×108光年)＝1.741倍になったので、フイラメント構造のままです。
・10-14m時代はどのようであったか。
半径は2.036×109光年に拡大しました。その軌道の中には、半円に73個の8.835×1010太陽質量のブラックホールがあり、1個のブラックホールは1個の泡構造の中心に居ます。
泡構造の軌道半径は7.625×10７光年に成りました。この軌道の中に106太陽質量のブラックホールがありそのブラックホールが作った軌道半径は6.847×104光年になりました。
この軌道半径にはたくさんのブラックホールができています。
宇宙の中心のブラックホールが作った軌道半径2.036×109光年の軌道の半円の長さは、π×2.036×109光年＝3.14×2.036×109光年＝6.393×109光年、になりました。
その半円の中に、8.835×1010太陽質量のブラックホールが作った泡構造の長さは、2×7.625×107光年×73個＝1.113×1010光年、になりました。
宇宙の中心のブラックホールが作った軌道半径2.036×109光年の軌道の半円の長さは、6.393×109光年で、その半円の中に、8.835×1010太陽質量のブラックホールが作った泡構造の長さは1.113×1010光年になり、1.113×1010光年÷(6.393×109光年)＝1.741倍になったので、フイラメント構造のままです。
このように、宇宙の中心のブラックホールが作った軌道半径には、現在宇宙に観察される物の前段階の様子が縮図のようにできています。
８．    各時代に於いて、大クエーサーができた軌道の歴史はどのようであったか。次に6.194×1010太陽質量のブラックホールがたどった歴史を考える。
6.194×1010太陽質量のブラックホールについては、2013年2月11日に提出した、特願2013−023929に記した。
・10-17m時代はどのようであったか。
宇宙の中心のブラックホールからジェットが噴出し、それは半径2.036×106光年の軌道に大クエーサーを作った。
半径2.036×106光年の軌道に、6.194×1010太陽質量のブラックホールを作った。半円に89個のブラックホールを作った。
宇宙の中心のブラックホールが作った軌道半径2.036×106光年の軌道の半円の長さは3.14×2.036×106光年＝6.393×106光年です。
・5×10-17m時代はどのようであったか。
半径は1.018×107光年に拡大した。この1.018×107光年の軌道の半円に、89個の6.194×1010太陽質量のブラックホールがあった。
このブラックホールからジェットが噴出した。そのジェットは半径1.354×105光年の軌道に届いた。この軌道半径に106太陽質量のブラックホールができた。
宇宙の中心のブラックホールが作った軌道半径1.018×107光年の軌道には、89個の6.194×1010太陽質量のブラックホールがあり、そのブラックホールからジェットが吹き出し、軌道半径1.354×105光年の軌道に届いた。この軌道半径に106太陽質量のブラックホールができた。
宇宙の中心のブラックホールが作った軌道半径1.018×107光年の軌道の半円の長さは、π×1.018×107光年＝3.14×1.018×107光年＝3.197×107光年、です。
その半円の中に、6.194×1010太陽質量のブラックホールのジェットが作った泡構造の長さは、2×1.354×105光年×89個＝2.410×107光年です。
・10-16m時代はどのようであったか。
半径は2.036×107光年に拡大しました。その軌道の半円に89個の6.194×1010太陽質量のブラックホールがあり、1個のブラックホールは1個の泡構造の中心に居ます。
泡構造の軌道半径は6.770×105光年に成りました。この軌道の中に106太陽質量のブラックホールがあり、そのブラックホールからジェットが吹き出し、軌道半径6.847×102光年の軌道に届いた。この軌道半径にブラックホールができた。
宇宙の中心のブラックホールが作った軌道半径2.036×107光年の軌道の半円の長さは、π×2.036×107光年＝3.14×2.036×107光年＝6.393×107光年、になりました。
その半円の中に、6.194×1010太陽質量のブラックホールが作った泡構造の長さは、2×6.770×105光年×89個＝1.205×108光年、になりました。
宇宙の中心のブラックホールが作った軌道半径2.036×107光年の軌道の半円の長さは、6.393×107光年で、その半円の中に、6.194×1010太陽質量のブラックホールが作った泡構造の長さは1.205×108光年になり、1.205×108光年÷(6.393×107光年)＝1.885倍になったので、フイラメント構造になった。
・10-15m時代はどのようであったか。
半径は2.036×108光年に拡大しました。その軌道の中には、半円に89個の6.194×1010太陽質量のブラックホールがあり、1個のブラックホールは1個の泡構造の中心に居ます。
泡構造の軌道半径は6.770×106光年に成りました。この軌道の中に106太陽質量のブラックホールがありそのブラックホールが作った軌道半径は6.847×103光年になりました。
この軌道半径にはたくさんのブラックホールができています。
宇宙の中心のブラックホールが作った軌道半径2.036×108光年の軌道の半円の長さは、π×2.036×108光年＝3.14×2.036×108光年＝6.393×108光年、になりました。
その半円の中に、6.194×1010太陽質量のブラックホールが作った泡構造の長さは、2×6.770×106光年×89個＝1.205×109光年、になりました。
宇宙の中心のブラックホールが作った軌道半径2.036×108光年の軌道の半円の長さは、6.393×108光年で、その半円の中に、6.194×1010太陽質量のブラックホールが作った泡構造の長さは1.205×109光年になり、1.205×109光年÷(6.393×108光年)＝1.885倍になったので、フイラメント構造のままです。
・10-14m時代はどのようであったか。
半径は2.036×109光年に拡大しました。その軌道の中には、半円に89個の6.194×1010太陽質量のブラックホールがあり、1個のブラックホールは1個の泡構造の中心に居ます。
泡構造の軌道半径は6.770×10７光年に成りました。この軌道の中に106太陽質量のブラックホールがありそのブラックホールが作った軌道半径は6.847×104光年になりました。
この軌道半径にはたくさんのブラックホールができています。
宇宙の中心のブラックホールが作った軌道半径2.036×109光年の軌道の半円の長さは、π×2.036×109光年＝3.14×2.036×109光年＝6.393×109光年、になりました。
その半円の中に、6.194×1010太陽質量のブラックホールが作った泡構造の長さは、2×6.770×107光年×89個＝1.205×1010光年、になりました。
宇宙の中心のブラックホールが作った軌道半径2.036×109光年の軌道の半円の長さは、6.393×109光年で、その半円の中に、6.194×1010太陽質量のブラックホールが作った泡構造の長さは1.205×1010光年になり、1.205×1010光年÷(6.393×109光年)＝1.885倍になったので、フイラメント構造のままです。
このように、宇宙の中心のブラックホールが作った軌道半径には、現在宇宙に観察される物の前段階の様子が縮図のようにできています。
・この事により理解できること。
１．5×10-17m時代は、宇宙の中心のブラックホールが作った軌道半径1.018×107光年の軌道の半円の長さは、π×1.018×107光年＝3.14×1.018×107光年＝3.197×107光年、です。
その半円の中に、6.194×1010太陽質量のブラックホールが作った泡構造の長さは、2×1.354×105光年×89個＝2.410×107光年です。
宇宙の中心のブラックホールが作った軌道半径1.018×107光年の軌道の半円の長さは、その半円の中に、6.194×1010太陽質量のブラックホールが作った泡構造の長さより大きかったので、泡構造でした。
2．10-16m時代は、宇宙の中心のブラックホールが作った軌道半径2.036×107光年の軌道の半円の長さは、6.393×107光年で、その半円の中に、6.194×1010太陽質量のブラックホールが作った泡構造の長さは1.205×108光年になり、1.205×108光年÷(6.393×107光年)＝1.885倍になったので、フイラメント構造になった。
3．10-15m時代は、宇宙の中心のブラックホールが作った軌道半径2.036×108光年の軌道の半円の長さは、6.393×108光年で、その半円の中に、6.194×1010太陽質量のブラックホールが作った泡構造の長さは1.205×109光年になり、1.205×109光年÷(6.393×108光年)＝1.885倍になったので、フイラメント構造のままです。
4．10-14m時代は、宇宙の中心のブラックホールが作った軌道半径2.036×109光年の軌道の半円の長さは、6.393×109光年で、その半円の中に、6.194×1010太陽質量のブラックホールが作った泡構造の長さは1.205×1010光年になり、1.205×1010光年÷(6.393×109光年)＝1.885倍になったので、フイラメント構造のままです。
5．宇宙の中心のブラックホールが作った軌道が、その軌道の中に存在する泡構造の直径×泡構造の数、より大きい場合、泡構造になる。
また、宇宙の中心のブラックホールが作った軌道が、その軌道の中に存在する泡構造の直径×泡構造の数、より小さい場合、フイラメント状構造になる。
6．フイラメント状構造になったものは、泡構造には戻らない。
７．もし、現代から遠い時代、遠い空間において、フイラメント構造になっていたものが、現代、地球に近い空間に於いて、泡構造として観察されるのであれば、それは、現代から遠い時代、遠い空間において、フイラメント構造になっていたのではなく、実際は泡構造であったと考えられる。
この事を表に示す。
表５
2015208168.tif 000009
2015208168.tif 000010
９．    ５と６と７と８に於いて、問題になるのは、100×108光年の軌道半径と142×108光年の軌道半径に於いて、泡構造の大きさが大きすぎるということです。2014年2月27日に提出した、特願2014−037449、「請求項７」で、中心のブラックホールの質量が8.835×1010太陽質量の場合、泡構造の半径は1.363×108光年であり、中心のブラックホールの質量が6.194×1010太陽質量の場合、泡構造の半径は108光年であるとしました。それで、この事について考えます。
各時代のジェットが届いた軌道半径の推移について考えます。
表６
2015208168.tif 000011
表により考えます。
表７
2015208168.tif 000012
１０．    中心のブラックホールの質量が8.835×1010太陽質量の場合。
・ジェットが届いた軌道半径の推移はどのようになるか。
142×108光年の軌道半径に於いて、8.835×1010太陽質量のブラックホールから噴出したジェットが届いた距離は1.363×108光年であることから、5.318×108光年÷(1.363×108光年)＝3.902、3.902分の１、です。
これを計算し表に記入する。
・ジェットが届いた距離が3.908×104光年である場合、これはいつの時代にジェットが届いたか。
8.835×1010＝1010.9462
ジェットが届く距離＝6.477×1011×1010.9462÷3＝6.477×1011×103.6487＝6.477×1014×4.453＝2.884×1015Km
これは、2.884×1015Km÷(9.46×1012Km)＝3.049×102
ジェットが届く距離は3.049×102光年です。
いつの時代にジェットが届いたか。
10-14m時代のｘ倍のエネルギーの時ジェットは届いたとする。
3.049×102光年×ｘ＝3.908×104光年
ｘ＝3.908×104光年÷(3.049×102光年)＝1.282×102
10÷1.282＝7.800
よって、7.8×10-17m時代に、8.835×1010太陽質量のブラックホールからジェットが噴出し届いた。
・10-17m時代。
宇宙の中心のブラックホールが作った軌道半径1.018×107光年の軌道の半円の長さは、π×1.018×107光年＝3.14×1.018×107光年＝3.197×107光年、です。
その半円の中に、8.835×1010太陽質量のブラックホールが作った泡構造の長さは、2×3.908×104光年×73個＝5.706×106光年です。
・10-16m時代。
宇宙の中心のブラックホールが作った軌道半径2.036×107光年の軌道の半円の長さは、π×2.036×107光年＝3.14×2.036×107光年＝6.393×107光年、になりました。
その半円の中に、8.835×1010太陽質量のブラックホールのブラックホールが作った泡構造の長さは、2×1.954×105光年×73個＝2.853×10７光年、になりました。
・10-15m時代。
宇宙の中心のブラックホールが作った軌道半径2.036×108光年の軌道の半円の長さは、π×2.036×108光年＝3.14×2.036×108光年＝6.393×108光年、になりました。
その半円の中に、8.835×1010太陽質量のブラックホールのブラックホールが作った泡構造の長さは、2×1.954×106光年×73個＝2.853×108光年、になりました。
・10-14m時代。
宇宙の中心のブラックホールが作った軌道半径2.036×109光年の軌道の半円の長さは、π×2.036×109光年＝3.14×2.036×109光年＝6.393×109光年、になりました。
その半円の中に、8.835×1010太陽質量のブラックホールのブラックホールが作った泡構造の長さは、2×1.954×10７光年×73個＝2.853×109光年、になりました。
これらの事から、この場合の宇宙構造は泡構造です。
１１．    中心のブラックホールの質量が6.194×1010太陽質量の場合
・ジェットが届いた軌道半径の推移はどのようになるか。
142×108光年の軌道半径に於いて、6.194×1010太陽質量のブラックホールがつくったから噴出したジェットが届いた距離は108光年であることから、4.721×108光年÷108光年＝4.721、4.721分の１、です。
これを計算し表に記入する。
・ジェットが届いた距離が2.868×104光年である場合、これはいつの時代にジェットが届いたか。
6.194×1010＝1010.7920
ジェットが届いく距離＝6.477×1011×1010.7920÷3＝6.477×1011×103.5973＝6.477×1014×3.956＝2.562×1015Km
これは、2.562×1015Km÷(9.46×1012Km)＝2.708×102、光年です。
いつの時代にジェットが届いたか。
2.708×102光年×ｘ＝2.868×104光年
ｘ＝2.868×104光年÷(2.708×102光年)＝1.059×102
10÷1.059＝9.443
よって、9.443×10-17m時代に、6.194×1010太陽質量のブラックホールからジェットが噴出し届いた。
・10-17m時代。
宇宙の中心のブラックホールが作った軌道半径1.018×107光年の軌道の半円の長さは、π×1.018×107光年＝3.14×1.018×107光年＝3.197×107光年、です。
その半円の中に、6.194×1010太陽質量のブラックホールが作った泡構造の長さは、2×2.868×104光年×89個＝5.105×106光年です。
・10-16m時代。
宇宙の中心のブラックホールが作った軌道半径2.036×107光年の軌道の半円の長さは、π×2.036×107光年＝3.14×2.036×107光年＝6.393×107光年、になりました。
その半円の中に、6.194×1010太陽質量のブラックホールが作った泡構造の長さは、2×1.434×105光年×89個＝2.553×10７光年、になりました。
・10-15m時代。
宇宙の中心のブラックホールが作った軌道半径2.036×108光年の軌道の半円の長さは、π×2.036×108光年＝3.14×2.036×108光年＝6.393×108光年、になりました。
その半円の中に、6.194×1010太陽質量のブラックホールが作った泡構造の長さは、2×1.434×106光年×89個＝2.553×108光年、になりました。
・10-14m時代。
宇宙の中心のブラックホールが作った軌道半径2.036×109光年の軌道の半円の長さは、π×2.036×109光年＝3.14×2.036×109光年＝6.393×109光年、になりました。
その半円の中に、6.194×1010太陽質量のブラックホールが作った泡構造の長さは、2×1.434×107光年×89個＝2.553×109光年、になりました。
これらの事から、この場合の宇宙構造は泡構造です。
このことを表に示す。
表８
2015208168.tif 000013
2015208168.tif 000014
１２．    宇宙のフィラメント構造はどのようにできるか。
宇宙のフィラメント構造は2つの場合できる。
１つは宇宙の初期の時代、泡構造と泡構造の間隔は小さい。その上、素粒子のエネルギーは大きいので引力は大きい。
この引力により、泡構造と泡構造は引きあい、フィラメント構造を作る。
2つは、宇宙の中心のブラックホールが作った軌道が、その軌道の中に存在する泡構造の直径×泡構造の数、より小さい場合、フイラメント構造になる。
次に、宇宙の初期の時代の引力を示す。
これは、2012年6月13日に提出した、特願2012−133515、「宇宙の軌道エネルギーと泡状銀河集団の回転」の「請求項2」のまとめです。
10-14m時代の外側の軌道半径を142×108光年とする。
・宇宙の場合、エネルギーと速度はどのように変化したか。
軌道エネルギー＝4.810×1027JKm÷距離、の式で計算する。
表９
2015208168.tif 000015
2015208168.tif 000016
１３．    泡構造を作るブラックホールからジェットが噴出する時代を5×10-17m時代とし、宇宙の中心のブラックホールからジェットが噴出し届く時代を10-17m時代とする場合、フイラメント構造となるときと、泡構造になる分岐点となる泡構造を作るブラックホールの質量はいくらか。泡構造の数を73×2の場合と89×2の場合について求める。
泡構造の数が73×2個の場合。
泡構造の中心のブラックホールの質量を10ｎ太陽質量とする。
泡構造の中心のブラックホールが作った軌道半径×2×円周の泡構造の数＝6.477×1011×10n/3×5×102Km×73×2個＝4.728×1016×10n/3Km
宇宙中心のブラックホールが作る軌道半径×2×3.14＝6.477×1011×1013.4202/3×103Km×2×3.14＝4.068×１015Km×104.4734＝4.068×１019Km×2.974＝1.210×1020Km
フイラメン構造になる場合。
泡構造の中心のブラックホールが作った軌道半径×2×円周の泡構造の数＞宇宙中心のブラックホールが作る軌道半径×2×3.14
4.728×1016×10n/3Km＞1.210×1020Km
10n/3＞1.210×1020Km÷(4.728×1016)
10n/3＞2.559×103＝103.4080
10n＞103.4080×3＝1010.224＝1.675×1010
よって、円周軌道の泡構造の数を73×2個とすると、フイラメント構造になる場合は、泡構造の中心のブラックホールの質量は1.675×1010太陽質量以上です。
泡構造の数が89×2個の場合。
泡構造の中心のブラックホールの質量を10ｎ太陽質量とする。
泡構造の中心のブラックホールが作った軌道半径×2×円周の泡構造の数＝6.477×1011×10n/3×5×102Km×89×2個＝5.765×1016×10n/3Km
宇宙中心のブラックホールが作る軌道半径×2×3.14＝6.477×1011×1013.4202/3×103Km×2×3.14＝4.068×１015Km×104.4734＝4.068×１019Km×2.974＝1.210×1020Km
フイラメン構造になる場合。
泡構造の中心のブラックホールが作った軌道半径×2×円周の泡構造の数＞宇宙中心のブラックホールが作る軌道半径×2×3.14
5.765×1016×10n/3Km＞1.210×1020Km
10n/3Km＞1.210×1020Km÷(5.765×1016)＝2.099×103＝103.3220
10ｎ＞103.3220×3＝109.9660＝9.246×109
よって、円周軌道の泡構造の数を89×2個とすると、フイラメント構造になる場合は、泡構造の中心のブラックホールの質量は9.246×109太陽質量以上です。
このことを表に示す
表１０
2015208168.tif 000017
【産業上の利用可能性】
【０００９】
宇宙の探求は学問の探求であり科学の探求である。科学の探求は産業上とても大切なことである。この点に産業上の利用可能性がある。
【符号の説明】
【００１０】
１    ブラックホール
２    フイラメント
３    宇宙の中心のブラックホール
４    10-17m時代、宇宙の中心のブラックホールが作った軌道半径は2.036×106光年
５    73×2個の8.836×1010太陽質量のブラックホールができる
６    5×10-17m時代、宇宙の中心のブラックホールが作った軌道半径は1.018×107光年に成る
７    8.836×1010太陽質量のブラックホールはジェットを噴出し、軌道半径1.525×105光年の軌道に届き、泡構造を作る
８    106太陽質量のブラックホールができた
９    宇宙の中心のブラックホールが作った半円の長さは、3.14×1.018×10７光年＝3.197×107光年
１０    半円の中に、8.835×1010太陽質量のブラックホールが作った泡構造の長さは、2×1.525×105光年×73個＝2.227×107光年
１１  泡構造と泡構造の間に隙間があるので、泡構造
１２    10-16m時代、宇宙の中心のブラックホールが作った軌道半径は2.036×107光年に成る
１３    10-16m時代、8.836×1010太陽質量のブラックホールが作った泡構造は軌道半径7.625×105光年になった 
１４    106太陽質量のブラックホールからジェットが噴出し軌道半径6.847×102光年まで届く
１５    この軌道に104から１太陽質量のブラックホールができた
１６    宇宙の中心のブラックホールが作った半円の長さは、3.14×2.036×107光年＝6.393×107光年
１７    半円の中に、8.835×1010太陽質量のブラックホールが作った泡構造の長さは、2×7.625×105光年×73個＝1.113×108光年
１８    半円の中に、8.835×1010太陽質量のブラックホールが作った泡構造の長さ＞宇宙の中心のブラックホールが作った半円の長さ
1.113×108光年÷(6.393×107光年)＝1.741倍になったので、フイラメント構造になった
１９    10-15m時代、宇宙の中心のブラックホールが作った軌道半径は2.036×108光年に成る
２０    10-15m時代、8.836×1010太陽質量のブラックホールが作った泡構造は軌道半径7.625×106光年になった
２１    106太陽質量のブラックホールが作った球体は、軌道半径6.847×103光年になる
２２    宇宙の中心のブラックホールが作った半円の長さは、3.14×2.036×108光年＝6.393×108光年
２３    半円の中に、8.835×1010太陽質量のブラックホールが作った泡構造の長さは、2×7.625×105光年×73個＝1.113×109光年
２４    半円の中に、8.835×1010太陽質量のブラックホールが作った泡構造の長さ＞宇宙の中心のブラックホールが作った半円の長さ
1.113×109光年÷(6.393×108光年)＝1.741倍になったので、フイラメント構造になった
２５    10-14m時代、宇宙の中心のブラックホールが作った軌道半径は2.036×109光年に成る
２６    10-14m時代、8.836×1010太陽質量のブラックホールが作った泡構造は軌道半径7.625×107光年になった
２７    106太陽質量のブラックホールが作った球体は軌道半径6.847×104光年になった
２８    宇宙の中心のブラックホールが作った半円の長さは、3.14×2.036×109光年＝6.393×109光年
２９    半円の中に、8.835×1010太陽質量のブラックホールが作った泡構造の長さは、2×7.625×106光年×73個＝1.113×1010光年
３０    半円の中に、8.835×1010太陽質量のブラックホールが作った泡構造の長さ＞宇宙の中心のブラックホールが作った半円の長さ
1.113×1010光年÷(6.393×109光年)＝1.741倍になったので、フイラメント構造になった
【図１】
2015208168.tif 000033
【図２】
2015208168.tif 000034
【手続補正書】
【提出日】平成26年4月30日(2014.4.30)
【手続補正１】
【補正対象書類名】特許請求の範囲
【補正対象項目名】請求項９
【補正方法】変更
【補正の内容】
【請求項９】
表１７
2015208168.tif 000035
【手続補正２】
【補正対象書類名】特許請求の範囲
【補正対象項目名】請求項１１
【補正方法】変更
【補正の内容】
【請求項１１】
表１８
2015208168.tif 000036
2015208168.tif 000037
【手続補正３】
【補正対象書類名】図面
【補正対象項目名】全図
【補正方法】変更
【補正の内容】
【図１】
2015208168.tif 000038
【図２】
2015208168.tif 000039